(57)【要約】 【課題】竪樋用の排水管カバーにおいて、排水管カバーと排水管との間がガタツキ少なく保持できる排水管カバーを提供することを目的とする。【解決手段】排水管カバー１０は円筒部１１とカバー部１２から成り、円筒部１１の上端部１１ａに竪樋１３の下端部１３ａを挿入し、円筒部１１の下端部１１ｄが排水管１４に挿入される。カバー部１２はドーナツ円形状の天面部１２ａと、天面部１２ａの外周縁１２ｂに側面部１２ｃが形成される。排水管カバー１０と排水管１４の間のガタツキが生じないようにカバー部１２の天面部１２ａの裏面に五組の突起１６が直径Ｑ＝３ｍｍの円柱状に形成される。突起１６は天面部１２ａの中心Ｐと同心円周上に角度α=７２度の正五角形状に形成し、排水管１４の外側面１４ｂに沿って設けられる。このため、突起１６によって排水管１４の外側面１４ｂをガタなく拘束することができる。【選択図】  図１
2010077633.tif 000002
【特許請求の範囲】
【請求項１】
上端部に竪樋を挿入し下端部が円筒状の排水管に挿入される円筒部と、この円筒部に固着されて前記排水管を蔽囲するカバー部と、から成る排水管カバーであって、
前記排水管の上端部の外側面を拘束するように前記カバー部の裏面に突起を少なくとも三組備え、前記突起は前記円筒部と同心で同一円周上に形成されることを特徴とする排水管カバー。
【発明の詳細な説明】
【技術分野】
【０００１】
本発明は、建築物に用いられる竪樋用の排水管カバーに関し、詳しくは、排水管カバーと排水管の水平方向のガタツキを少なくする排水管カバーに関する。
【背景技術】
【０００２】
従来、竪樋の取付現場においては、竪樋の上端部を予め軒樋に連結した状態で下端部を所定の位置で切断し、この下端部に排水管カバーを挿入した後に排水管カバーを下方にスライドして排水管に装着している。ところが、排水管と竪樋の軸心がずれていると竪樋と排水管を連通させることが困難であった。
【０００３】
この問題を解決する方法が特許文献１に開示されている。図５に示すように、竪樋２の下端部と、地中に埋設された排水管３の上端部３１との間に排水管カバー４が介在されて竪樋２と排水管３が連通される。なお、竪樋２の軸心６２と排水管３の軸心６３は同心である。排水管カバー４は円筒部４１と、この円筒部４１に円錐状テーパー面を介して同心状に連結された断面円形のカバー部４２とから形成される。化粧カバー部４２の下端面は円筒部４１の下端面より突設される。
【０００４】
排水管３に備えるアダプター５は先細りの短円筒状であり、上端受け口５１の内径は排水管カバー４の円筒部４１の外径の約1.５倍の大径で、下端差し口５２の外径は排水管３の上端部３１の内径よりわずか小径である。アダプター５の高さ方向の長さは、排水管カバー４の円筒部４１の下端面と排水管３の上端面との間隔より、受け口５１および差し口５２の長さ分だけ長く形成される。受け口５１および差し口５２の軸は同心である。
【０００５】
排水管３の上端部３１にアダプター５の差し口５２が挿入され、受け口５１内に排水管カバー４の円筒部４１の下端部が位置するように配設されることにより、竪樋２と排水管３とが排水管カバー４およびアダプター５を介して連通される。このとき、アダプター５の受け口５１の内径が排水管カバー４の円筒部４１の外径より大きいので、排水管３と竪樋２の軸心がずれている場合でも同一のアダプター５を適用して竪樋２と排水管３とを連通させることができる。
【特許文献１】特開平８−２８４３４４号公報
【発明の開示】
【発明が解決しようとする課題】
【０００６】
ところが、風等の外力で水平方向にガタツクため安定性が不足するという問題があった。
【０００７】
そこで、本発明はかかる従来技術の問題に鑑みなされたものであって、竪樋用の排水管カバーにおいて、排水管カバーと排水管との間でガタツキ少なく保持できる排水管カバーを提供することを目的とする。
【課題を解決するための手段】
【０００８】
請求項１の発明は、上端部に竪樋を挿入し下端部が円筒状の排水管に挿入される円筒部と、この円筒部に固着されて前記排水管を蔽囲するカバー部と、から成る排水管カバーであって、前記排水管の上端部の外側面を拘束するように前記カバー部の裏面に突起を少なくとも三組備え、前記突起は前記円筒部と同心で同一円周上に形成されることを特徴としている。
【発明の効果】
【０００９】
請求項１の発明によれば、前記排水管の上端部の外側面を拘束するように前記カバー部の裏面に突起を少なくとも三組備え、前記突起は前記円筒部と同心で同一円周上に形成される。このため、前記カバー部を前記排水管に同心の状態に覆ったときに少なくとも三組の突起が前記排水管の外側面を囲んで拘束する状態になるので、前記カバー部を前記排水管にガタツキ無く安定して保持することができる。  
【００１０】
また、前記排水管カバーと排水管が偏心している場合でも、隣接する二組の突起を用いて前記排水管の内側面を保持するとともにこの二組の係止突起に対向する前記排水管の内側面を前記筒状部で保持することで前記排水管の内側面が三点保持された状態となるので、前記カバー部を前記排水管に安定してガタツキなく保持することができる。
【発明を実施するための最良の形態】
【００１１】
以下に、本発明の実施形態を図１〜図４に基づいて説明する。
＜排水管カバーの構成＞
【００１２】
図１、図２、図３に示すように、排水管カバー１０は円筒部１１とカバー部１２から成る。円筒部１１は異径連通管で上端部１１ａから第一中間部１１ｂまで高さＨ１＝１２０ｍｍ、外径Ｔ４＝６７ｍｍで形成され、第一中間部１１ｂから第二中間部１１ｃまで高さＨ２＝４ｍｍで下降する間に外径Ｔ４＝６７ｍｍから外径Ｔ２＝５３ｍｍまで徐々に縮径するとともに下端部１１ｄまで高さＳ１＝３６ｍｍ、外径Ｔ２＝５３ｍｍの円筒で形成される。
【００１３】
上端部１１ａから第一中間部１１ｂまでの円筒部１１の内面には下方向に内径が徐々に狭く成るようにテーパーが形成され、円筒部１１の上端部１１ａから竪樋１３（直径Ｔ５）の下部１３ａを挿入する際に、このテーパーによって竪樋１３は円筒部１１に挿入し易く且つ固着し易くなっている。そして、円筒部１１の下端部１１ｄは下端部１１ｄが地面Ｇレベルより下方となるように排水管１４に挿入される。排水管１４は硬質塩化ビニール管であるＶＰ（塩ビ厚肉管）やＶＵ（塩ビ薄肉管）で三種類の呼び径ＶＵ５０、ＶＵ／ＶＰ６５、ＶＵ／ＶＰ７５が用いられるので、排水管カバー１０は排水管１４の三種類の外径Ｔ１＝６０ｍｍ、７６ｍｍ、８９ｍｍに対応するように形成される。
【００１４】
カバー部１２は円形ドーナツ状の天面部１２ａ（内径Ｔ２＝５３ｍｍ、内径Ｔ３＝９４ｍｍ）と、天面部１２ａの外周縁１２ｂから高さＳ３＝１６ｍｍで形成される側面部１２ｃとから成る。ここで、天面部１２ａは円筒部１１の中間部１１ｂの位置に固着され、天面部１２ａは外周縁１２ｂに向かって徐々に下降し、側面部１２ｃは地面Ｇに向かって徐々に裾広がりに形成される。
【００１５】
排水管１４の上端部１４ａが地面Ｇから高さＳ２で突出するとともに、排水管１４に円筒部１１の下端部１１ｄが挿入された状態で上端部１４ａがカバー部１２の高さＳ３内に納まるように、高さＳ１＞高さＳ３＞高さＳ２の関係に形成される。
【００１６】
そして、排水管カバー１０と排水管１４の間にガタツキが生じないように、排水管１４を拘束するための突起１６が排水管カバー１０に設けられる。突起１６は直径Ｑ＝３ｍｍの円柱状で、円形ドーナツ状の天面部１２ａの裏面における略中央部で同じ円周上（直径Ｔ）に五組設けられ、五組の突起１６は天面部１２ａの中心Ｐと同心で角度α=７２度の正五角形状に形成される。より詳しくは、突起１６が排水管１４を拘束するために、排水管１４の外側面１４ｂ（直径Ｔ１＝７６ｍｍ）に沿うような円周上に五組設けられるので、直径Ｔ＝Ｔ１＋Ｑ＝７９ｍｍである。
【００１７】
排水管カバー１０や突起１６は耐腐食性を考慮してステンレス材や亜鉛鍍金鋼板や硬質塩化ビニール樹脂等の合成樹脂が用いられる。
【００１８】
＜排水管カバーの作用＞
「排水管１４の外径Ｔ１＝７６ｍｍ場合」
図３に示すように、カバー部１２が排水管１４（外径Ｔ１＝７６ｍｍ）を覆ったときに五組の突起１６が直径Ｔ＝７９ｍｍの円周上に配置されるので、五組の突起１６が排水管１４の外側面１４ｂを囲んで拘束するので、カバー部１２を排水管１４にガタツキ無く安定して保持することができる。なお、突起１６の数は最低三組設ければ排水管１４の外側面１４ｂをガタツクことなく拘束することができる。より詳しくは、三組の突起１６で形成される三角形領域の中に天面部１２ａの中心Ｐを包含するように三組の突起１６を配置すると、三組の突起１６によって排水管１４の外側面１４ｂを囲んで拘束することができる。
【００１９】
「排水管１４の外径Ｔ１＝７６ｍｍで、カバー部１２と偏心する場合」
図４に示すように、カバー部１２と排水管１４のそれぞれの中心Ｐ、Ｐ１が間隔９ｍｍで偏心する場合、排水管１４とカバー部１２の側面部１２ｃとの間に最大で隙間Ｈ＝１８ｍｍが生じる。この場合、二組の隣接する突起１６ａで排水管１４の内側面を保持するとともに、二組の突起１６ａに対向する排水管１４の内側面１４ｃで円筒部１１を保持することで排水管１４の内側面１４ｃが三点保持された状態となるので、排水管１４にカバー部１２をガタツキ少なくして保持することができる。
【００２０】
「排水管１４の外径Ｔ１＝８９ｍｍの場合」
排水管１４の直径が大きく外径Ｔ１＝８９ｍｍの場合は、天面部１２ａの内径Ｔ３＝９４ｍｍなので側面部１２ｃとの隙間５ｍｍでガタツキが少ないので、突起１６を使用しなくても排水管１４は排水管カバー１０の側面部１２ｃに保持できる。
【００２１】
「排水管１４の外径Ｔ１＝６０ｍｍの場合」
排水管１４の直径が小さく外径Ｔ１＝６０ｍｍの場合は、円筒部１１の下端部１１ｃ側の外径Ｔ２＝５３ｍｍなので、円筒部１１との隙間７ｍｍでガタツキが少ないので、突起１６を使用しなくても排水管１４を排水管カバー１０の円筒部１１で保持できる。
【００２２】
上記のように、直径の異なる三種類の排水管１４に対して排水管カバー１０が共通使用できるので、排水管カバー１０の在庫を減らせるためコストダウンできる。
【００２３】
なお、突起１６の数が６組以上に増えればカバー部１２と排水管１４のガタツキをさらに小さくできるが突起１６間のピッチが狭くなるので排水管１４を隣接する突起１６間に保持することが困難となる。逆に、突起１６の数を減らせば排水管１４を隣接する突起１６間に保持し易くなるがガタツキが大きくなる。このため、突起１６の数は最大で６組ぐらいが実用的上限である。
【００２４】
以上、本発明の実施例を図面に基づいて説明したが、具体的な構成はこの実施例に限られるものではなく本発明の要旨を逸脱しない範囲の設計変更等があっても本発明に含まれる。
【００２５】
たとえば、排水管カバー１０の円筒部１１は異径連通管でなく上端部１１ａから下端部１１ｃまで同径円筒で形成してもよい。円筒部１１の内面にテーパーが形成されない場合もある。円柱状の突起１６は自由端にかけて若干先細りに形成すると排水管１４の外側面１４ｂに沿ってスライド挿入し易くなる。突起１６の直径はＱ＝３ｍｍに拘らない。円柱状排水管カバー１０は竪樋１３の断面形状に対応して円筒形状以外に矩形筒形状でも使用できる。
【図面の簡単な説明】
【００２６】
【図１】本発明の実施形態における、排水管カバー１０と竪樋１３と排水管１４の組付け状態を示す側面断面図である。
【図２】本発明の実施形態における、排水管カバー１０の下方から見た斜視図である。
【図３】本発明の実施形態における、図１のＡ−Ａ断面矢視図である。
【図４】本発明の実施形態における、図３において、カバー部１２と排水管１４が偏心している場合の排水管１４と突起１６の関係を示す図である。
【図５】従来例における、排水管カバー４の状態を示す側面断面図である。
【符号の説明】
【００２７】
１０  排水管カバー
１１  円筒部
１１ａ  上端部
１１ｄ  下端部
１２  カバー部
１２ａ  天面部
１２ｂ  外周縁
１２ｃ  側面部
１３  竪樋
１３ａ  下端部
１４  排水管
１４ｂ  外側面
１６  突起
【図１】
2010077633.tif 000003
【図２】
2010077633.tif 000004
【図３】
2010077633.tif 000005
【図４】
2010077633.tif 000006
【図５】
2010077633.tif 000007